(57)【要約】      （修正有）【課題】モザイクの特殊視覚効果イメージを備える袋体を提供する。【解決手段】物品を収容する袋体からなるハンドバッグなどの収容具１０において、基層及び該基層上に固定する複数の画像ユニットからなる画像層20を具え、該画像ユニットは矩形塊状体からなり、その表面には単一の特定色彩を備え、これら複数の画像ユニットを相互に間隔を空けて多数を基層上に配列することにより、イメージを構成したことを特徴とするモザイク効果を具える袋状収容具。【選択図】図１
0003138382.tif 000002
【実用新案登録請求の範囲】
【請求項１】
物品を収容する袋体からなる収容具において、
基層及び該基層上に固定する複数の画像ユニットからなる画像層を具え、
該画像ユニットは矩形塊状体で、その表面には単一の特定色彩を備え、これら複数の画像ユニットを相互に間隔を空けて基層上に配列することにより、イメージを構成したことを特徴とするモザイク効果を具える袋状収容具。
【請求項２】
前記画像層の基層は、該画像ユニットを固定可能で、フレキシブルな材質からなることを特徴とする請求項１記載のモザイク効果を具える袋状収容具。
【請求項３】
前記画像層の画像ユニットは、単一色彩を備えるタイルであることを特徴とする請求項１記載のモザイク効果を具える袋状収容具。
【考案の詳細な説明】
【技術分野】
【０００１】
本考案は、モザイクの特殊視覚効果イメージを備える袋状収容具に関する。特に、袋状収容具とモザイク芸術が相互に結合することで、袋状収容具が芸術的で、美しく、おもしろい特殊視覚感覚を備え、これにより美感を表現し、袋状収容具の付加価値を向上させるモザイクの特殊視覚効果イメージを備える袋状収容具に係る。
【背景技術】
【０００２】
「手提げ袋」は、日常生活において欠くべからざる収容具である。我々は外出時、しばしば携帯物品を手提げ袋に入れて收納し、取り出しの便を図る。しかも生活水準の向上と産業技術の発展に従い、手提げ袋は単純な收納機能の他に、ファッション性や社会的ステータスの象徴にまでなっており、また服飾に合わせての美的効果もあり、消費者に広く愛され、購買或いは収蔵されている。
手提げ袋外観の美しさを高め、或いはそれに独特の風格を持たせるため、デザイナーの多くはその表面にレリーフ、圧紋、しわ、嵌めこみ装飾等の特殊図案構造を施しており、市販されている各式手提げ袋表面でこれらを目にすることができる。しかし、如何にして既存のデザイン概念から離れ、より美しく独創的な工夫を盛り込むかに、デザイナー達は日夜努力している。
さらに、「モザイク」の嵌め込み技術は歴史は長いが、これまでは主に建築の裝飾に用いられて来た。それが最近では斬新な芸術的な領域にまで発展している。当初は簡単な花模様或いはブロック模様で、色も単調であったものが、新たな材料の開発と工芸技術の進化により、モザイクの製作はより精巧になり、色彩もより豊富で鮮やかになっている。
しかも、モザイク効果を備える考案の完成はかなり難度が高いが、材料の使用には格別の制限がない。例えば、岩石、貝殼等を用いれば、素朴でナチュラルな味わいを出すことができ、ガラス、タイル、ホウロウ等を用いれば、現代的な風合いを表現することができる。
しかし、時代の進歩と共に、モザイク芸術は建築領域から離れて、各種生活用品に広く応用され、それら領域においてさらに多くの開発がなされている。
【特許文献１】特開２００１−９８４７９号公報
【考案の開示】
【考案が解決しようとする課題】
【０００３】
本考案が解決しようとする課題は、袋状収容具とモザイク芸術を相互に結合させ、モザイクイメージを備える袋状収容具を提供し、これにより袋状収容具に芸術的で、美しく、おもしろい特殊視覚感覚を備えさせ、こうして美感を表現し、袋状収容具の付加価値を向上させることである。
【課題を解決するための手段】
【０００４】
上記課題を解決するため、本考案は下記のモザイクの特殊視覚効果イメージを備える袋状収容具を提供する。
それは袋状収容具、該袋状収容具表面に付着する画像層を含み、
いわゆる袋状収容具とは一般的な手提げ袋、手提げバッグ、リュックサック、ウエストポーチ、財布等の物品を入れる収容具を広く指し、
該画像層は、基層及び該基層上に固定する複数の画像ユニットを具え、該画像ユニット表面には単一の特定色彩を備え、該複数の画像ユニットを該基層上に配列することにより、該画像ユニット表面が備える単一特定色彩により、予定のイメージを構成する。
【考案の効果】
【０００５】
上記のように、本考案の袋状収容具は、モザイクのイメージを備え、しかも該イメージは遠、近二種の距離から観賞時に、異なる外観を表現可能で、こうして芸術的で、美しく、おもしろい特殊視覚感覚を見る人に与え、これにより袋状収容具の付加価値を向上させることができる。
【考案を実施するための最良の形態】
【０００６】
本考案が考案の目的を達成するために適用する技術手段、及び構造上の特徴について、図に示す最適実施例のより、以下に説明する。
図１に示すように、本考案は、袋状収容具10、及び該袋状収容具10表面に付着する画像層20からなる。
該袋状収容具10は、手提げ袋、手提げバッグ、リュックサック、ウエストポーチ、財布等の物品を入れる収容具を広く指す。
該画像層20（図２参照）は、該袋状収容具10の一側面に付着し、該画像層20は基層21、該基層21上に固定する複数の画像ユニット22から構成する。
該基層21は、布、皮、プラスチック或いはその他の材質からなる該画像ユニット22を固定可能で、フレキシブル特性を備える材質により構成する。
該複数の画像ユニット22の最適数量は600個以上、4000個以下で、該画像ユニット22はタイル或いはプラスチック成型の矩形塊体である。該画像ユニット22の表面は、単一の特定色彩を備え、該複数の画像ユニット22を該基層21に固定する時、相互に隣接する二個の画像ユニット22の間には適当な間隙を備え、該複数の画像ユニット22を等距離で該基層21上に配列することにより、該画像ユニット22表面が備える単一特定色彩により、予定のイメージを構成する。
【０００７】
上記の構造により、該基層21と該複数の画像ユニット22で構成する画像層20は、該袋状収容具10の一側面に付着し、該袋状収容具10表面の画像層20はモザイク方式で予定のイメージを表す。
該画像層20イメージの形成は、予定のイメージを縦横に細分して区画し、これにより該予定イメージは、複数の小区画に区分される（各一小区画は各一画像ユニット22が置かれる位置を表す）。次に、該各一小区画上において少なくとも50％以上を含む代表色を分析し、該小区画の位置において該代表色により該画像ユニット22が表現する単一の特定の色彩とする。このようにして、該画像層20のイメージを一つ一つの画像ユニットを配列して完成し、該袋状収容具10の表面にモザイク方式で予定のイメージを表現することができる。
【０００８】
さらに、同時に図３に示すように、相互に隣接する二個の該画像ユニット22の間には間隙を備えるため、近くで見た時には、全体的イメージとは異なり、また、該各画像ユニット22が突出するため個々の各画像ユニット22の色が観賞者の特別の注意を引いてイメージが曖昧となり、イメージとして識別しにくいという視覚感覚を与える。他方、観賞する距離を離してみると、画像ユニット22同士の相互間の間隙は認識されず、隣接する画像ユニット22同士の色は視覚融合の効果を備えるため、イメージとしての認識度は高まり、自然にイメージの効果が表現される（近くから及び遠くからの観賞の二種の距離感は図３を参照）。
【０００９】
以上の説明と図示の最適実施例から明らかなように、本考案の袋状収容具10は、モザイクのイメージを備え、しかも該イメージは遠、近二種の距離から観賞時に、異なる外観として表現可能で、こうして芸術的で、美しく、おもしろい特殊視覚感覚を見る人に与え、これにより袋状収容具の付加価値を向上させることができる。
本考案が適用する技術手段及びその構造は確かに本考案人が研究開発したもので。本考案は実用新案の要件に符合している。
本実施例が示す構造は、本考案の最適実施例に過ぎず、本考案の構造に基づく同等効果の変化などもすべて本考案の実用新案登録請求範囲に含むものとする。
【図面の簡単な説明】
【００１０】
【図１】本考案の立体外観構造図である。
【図２】本考案画像層の断面指示図である。
【図３】本考案実際実施例参考図である。
【符号の説明】
【００１１】
10  袋状収容具
20  画像層
21  基層
22  画像ユニット
【図１】
0003138382.tif 000003
【図２】
0003138382.tif 000004
【図３】
0003138382.tif 000005